(57)【特許請求の範囲】
【請求項１】
壁に取り付けられる幅木であって、上部部材と下部部材と緩衝材とを備え、
前記上部部材は、
前記下部部材を取り付けるための凹部が下端部分に設けられており、
前記下部部材は、
板状の形状を有し、前記緩衝材によって覆われた上端部分を前記凹部に嵌め込むことで前記上部部材に取り付けられて弾性変形可能に保持されており、
当該幅木が前記壁に取り付けられた場合に、前記下部部材のうち前記上端部分以外の部分は、その後方に位置する前記壁と第１の隙間を隔てて配置され、前記下部部材の下端は、床面と第２の隙間を隔てて配置される
ことを特徴とする幅木。
【請求項２】
壁に取り付けられる幅木であって、上部部材と下部部材と緩衝材とを備え、
前記上部部材と前記下部部材を係合するための係合部が、前記上部部材の下端部分と前記下部部材の上端部分の各々に設けられている一方、前記壁との間に隙間を隔てて配置される下部部材のうち前記壁と対向する面には前記緩衝材が取り付けられており、
当該幅木が前記壁に取り付けられる場合に、前記上部部材が前記壁に固定されるとともに、前記上部部材に係合された前記下部部材の下端は床面との間に隙間を隔てて配置され、前記下部部材に外力が加わると、前記係合部を基点として前記下部部材が揺動可能である
ことを特徴とする幅木。
【請求項３】
基礎床に連立する複数の支持脚に支持された床下地材と、
壁に取り付けられる幅木とを備える二重床構造体であって、
前記幅木は、
上部部材と下部部材と緩衝材を備え、
前記上部部材は、
前記下部部材を取り付けるための凹部が下端部分に設けられており、
前記下部部材は、
板状の形状を有し、前記緩衝材によって覆われた上端部分を前記凹部に嵌め込むことで前記上部部材に取り付けられて弾性変形可能に保持されており、
前記幅木が前記壁に取り付けられた場合に、前記下部部材のうち前記上端部分以外の部分は、その後方に位置する前記壁と第１の隙間を隔てて配置され、前記下部部材の下端は、前記床下地材の上面に設けられた仕上材と第２の隙間を隔てて配置される
ことを特徴とする二重床構造体。
【請求項４】
基礎床に連立する複数の支持脚に支持された床下地材と、
壁に取り付けられる幅木とを備える二重床構造体であって、
前記幅木は、
上部部材と下部部材と緩衝材を備え、
前記上部部材と前記下部部材を係合するための係合部が、前記上部部材の下端部分と前記下部部材の上端部分の各々に設けられている一方、前記壁との間に隙間を隔てて配置される下部部材のうち前記壁と対向する面には前記緩衝材が取り付けられており、
前記幅木が前記壁に取り付けられる場合に、前記上部部材が前記壁に固定されるとともに、前記上部部材に係合された前記下部部材の下端は前記床下地材の上面に設けられた仕上材との間に隙間を隔てて配置され、前記下部部材に外力が加わると、前記係合部を基点として前記下部部材が揺動可能である
ことを特徴とする二重床構造体。
【発明の詳細な説明】
【技術分野】
【０００１】
本発明は、壁の下端に取り付けられる幅木、および、建築構造体の１つである二重床構造体に関する。
【背景技術】
【０００２】
一般に、集合住宅等の建築物においては、ある室空間で発生した衝撃音が隣接する室空間において騒音として発生するのを防ぐべく、各種防音対策が採られている。例えば、二重床構造の遮音対策として、壁際にすき間を空けて床下空間の空気を逃がすことなどが提案されている。
【発明の開示】
【発明が解決しようとする課題】
【０００３】
しかしながら、ある室内で発生した衝撃音は、壁や床などを介して隣接する室空間に伝播する。このため、従来の防音対策による遮音は、充分なものではなかった。また、壁際にすき間を設けるようにした二重床構造では、ほこりやごみがすき間から床下に落下して不衛生となることが指摘されている。
【０００４】
本発明は、上述した事情に鑑みてなされたものであり、その目的とするところは、衝撃音を抑制することが可能な幅木および二重床構造体を提供することにある。
【課題を解決するための手段】
【０００５】
上述した課題を解決するため本発明は、壁に取り付けられる幅木であって、上部部材と下部部材と緩衝材とを備え、前記上部部材は、前記下部部材を取り付けるための凹部が下端部分に設けられており、前記下部部材は、板状の形状を有し、前記緩衝材によって覆われた上端部分を前記凹部に嵌め込むことで前記上部部材に取り付けられて弾性変形可能に保持されており、当該幅木が前記壁に取り付けられた場合に、前記下部部材のうち前記上端部分以外の部分は、その後方に位置する前記壁と第１の隙間を隔てて配置され、前記下部部材の下端は、床面と第２の隙間を隔てて配置されることを特徴とする。
【０００６】
また、本発明は、壁に取り付けられる幅木であって、上部部材と下部部材と緩衝材とを備え、前記上部部材と前記下部部材を係合するための係合部が、前記上部部材の下端部分と前記下部部材の上端部分の各々に設けられている一方、前記壁との間に隙間を隔てて配置される下部部材のうち前記壁と対向する面には前記緩衝材が取り付けられており、当該幅木が前記壁に取り付けられる場合に、前記上部部材が前記壁に固定されるとともに、前記上部部材に係合された前記下部部材の下端は床面との間に隙間を隔てて配置され、前記下部部材に外力が加わると、前記係合部を基点として前記下部部材が揺動可能であることを特徴とする。
【０００７】
また、本発明は、基礎床に連立する複数の支持脚に支持された床下地材と、壁に取り付けられる幅木とを備える二重床構造体であって、前記幅木は、上部部材と下部部材と緩衝材を備え、前記上部部材は、前記下部部材を取り付けるための凹部が下端部分に設けられており、前記下部部材は、板状の形状を有し、前記緩衝材によって覆われた上端部分を前記凹部に嵌め込むことで前記上部部材に取り付けられて弾性変形可能に保持されており、前記幅木が前記壁に取り付けられた場合に、前記下部部材のうち前記上端部分以外の部分は、その後方に位置する前記壁と第１の隙間を隔てて配置され、前記下部部材の下端は、前記床下地材の上面に設けられた仕上材と第２の隙間を隔てて配置されることを特徴とする。
【０００８】
また、本発明は、基礎床に連立する複数の支持脚に支持された床下地材と、壁に取り付けられる幅木とを備える二重床構造体であって、前記幅木は、上部部材と下部部材と緩衝材を備え、前記上部部材と前記下部部材を係合するための係合部が、前記上部部材の下端部分と前記下部部材の上端部分の各々に設けられている一方、前記壁との間に隙間を隔てて配置される下部部材のうち前記壁と対向する面には前記緩衝材が取り付けられており、前記幅木が前記壁に取り付けられる場合に、前記上部部材が前記壁に固定されるとともに、前記上部部材に係合された前記下部部材の下端は前記床下地材の上面に設けられた仕上材との間に隙間を隔てて配置され、前記下部部材に外力が加わると、前記係合部を基点として前記下部部材が揺動可能であることを特徴とする。
【発明の効果】
【０００９】
本発明によれば、衝撃音を抑制することが可能な幅木および二重床構造体が提供される。
【発明を実施するための最良の形態】
【００１０】
以下、本発明の実施形態について図面を参照して説明する。図２は、本発明の実施形態にかかる幅木を利用した二重床構造体の構成を示す図である。
この図において、基礎床１１０および壁１８０Ｌ、１８０Ｒは、ＲＣ（Reinforced Concrete）造建物の躯体の一部である。本実施形態における二重床構造体は、基礎床１１０および壁１８０Ｌ、１８０Ｒによって形成される空間内に設置される。なお、二重床構造体が設置される建物は、ＲＣ造に限定されるものではなく、例えば鉄骨造やＳＲＣ（Steel Framed Reinforced Concrete）造などであっても良い。
【００１１】
基礎床１１０には、防振部材１２０を介して支持脚１３０が所定間隔を隔てて設置されている。支持脚１３０は、上端に設けられた支持部材１４０を介して、ほぼ水平となるように床下地材１５０を支持している。この床下地材１５０は、図中左側の壁１８０Ｌと、通風口として機能する隙間Ｄを隔てて配置されている。なお、隙間Ｄの詳細については後述する。そして、床下地材１５０の上面には、二重床の床面となるフローリングなどの仕上材１６０が貼着されている。また、基礎床１１０の図中右端には、直床の床面となる仕上材１６２が直接貼着されている。室空間１００は、これらの二重床（仕上材１６０）と直床（仕上材１６２）とからなる２段階の床面レベルを有する室内（例えば、住宅の玄関など）の空間である。
【００１２】
さて、壁面１８２Ｌにおける室空間１００からみた下端には、幅木２００が仕上材１６０と略平行に延在（紙面垂直方向）するように取り付けられている。幅木２００は、壁面１８２Ｌの最下部に人間の足などが当たる事によって、汚れや損傷などが生じるのを防止するために取り付けられる部材である。このような幅木２００は、一般に、木材や合成樹脂などから構成されている。
【００１３】
図１は、図２における幅木２００の断面形状およびその周辺構成の拡大図である。この図に示されるように、幅木２００は、幅木上部２００Ｕと幅木下部２００Ｄとの２つの部位を有している。幅木上部２００Ｕの前面（室空間１００側）および幅木下部２００Ｄの前面の各々は、同一平面上に位置するように形成されている。一方、幅木下部２００Ｄの背面（壁１８０Ｌ側）は、幅木上部２００Ｕの背面と比較して、前面からの距離が短くなるように形成されている。すなわち、幅木２００は、上部より下部が薄くなるように形成されている。このような構成の下、幅木２００は、幅木上部２００Ｕの背面と壁面１８２Ｌとが当接する位置に、釘２２０によって壁１８０Ｌに取り付けられる。この際、幅木２００は、その下端が仕上材１６０から通風口として機能する隙間ｄだけ上方の位置に取り付けられる。なお、隙間ｄについては、後述することとする。
【００１４】
このように、幅木２００が壁１８０Ｌに取り付けられると、幅木下部２００Ｄは、その後方に空隙が存在するように位置する。また、幅木下部２００Ｄは、その厚みが薄い。これらにより、幅木下部２００Ｄは、矢印Ａ方向（幅木２００の厚さ方向）の外力が作用すると、弾性変形する。さらに詳述すると、幅木下部２００Ｄは、幅木上部２００Ｕとの接合部をおおよその軸として、Ａ方向に湾曲可能な構成となっている。本実施形態における幅木２００は、以下の理由によりこのような構成を採っている。
【００１５】
例えば、電気掃除機による二重床の床面（仕上材１６０）の清掃時において、電気掃除機の吸引口４００が幅木２００と衝突することがある。一般に、吸引口は、硬質な合成樹脂によって形成されている。このため、吸引口４００が、弾性変形しない従来の幅木に衝突すると、幅木において大きな衝撃音が発生する。このような衝撃音は、幅木が設置されている壁を介して基礎床などに伝播し、隣接する室空間において騒音として再放射されてしまう。
【００１６】
そこで、本実施形態における幅木２００は、物体が衝突した時の衝撃音のレベルを抑制すべく、弾性変形可能な形状をしている。すなわち、電気掃除機の吸引口４００などの硬い物体がＡ方向に衝突すると、幅木下部２００Ｄは、Ａ方向に弾性変形する。これにより、衝突時の接触時間が長くなるため、衝撃力のピークレベルは低減する。これにより、壁１８０Ｌや基礎床１１０などを伝播する振動エネルギーが小さなものとなり、結果として、隣接室空間において発生する騒音が抑制されることとなる。
【００１７】
説明を図２に戻す。仕上材１６０に物体が衝突して衝撃音が発生すると、当該衝撃音は、防振部材１２０を有する支持脚１３０と床下地材１５０と基礎床１１０とによって形成される床下空間１７０の空気を介して、基礎床１１０に伝播する。このように防振部材１２０を介在させることにより、直床と比較して、二重床における衝撃音の伝播は抑制される。しかしながら、従来の二重床構造体においては、床下空間１７０が密閉状態にあったため、衝撃音が発生すると、空気層が空気バネの効果を持つようになり、振動エネルギーの多くが空気伝播されていた。
【００１８】
そこで、本実施形態においては、床下空間１７０と室空間１００とを連通する通風口が設けられている。すなわち、床下地材１５０は、上述したように壁面１８２Ｌから隙間Ｄを隔てて配置されている。また、幅木２００は、その下端が仕上材１６０より隙間ｄだけ上方に位置するよう取り付けられている。このため、床下地材１５０の振動時に、床下空間１７０の気圧が室空間１００の気圧より高くなれば、床下空間１７０の空気が通風口（隙間Ｄおよび隙間ｄ）を介して室空間１００へ排出される。一方、床下空間１７０の気圧が室空間１００の気圧より低くなれば、室空間１００の空気が通風口を介して床下空間１７０に吸入される。これにより、床下空間１７０において圧力波などが生じないため、床下空間１７０を介して伝播する衝撃音のエネルギーが減少する。この結果、基礎床１１０などを介して隣接する室空間に放射される衝撃音のエネルギーが減少し、騒音が抑制される。
【００１９】
しかし、このように室空間１００と床下空間１７０との間に通風口を設けた場合、室空間１００の気圧が床下空間１７０の気圧より高くなると、室空間１００中の塵埃が、隙間ｄおよび隙間Ｄを通過して床下空間１７０に移動する可能性がある。また、単純に落下によっても室空間１００から床下空間１７０に塵埃が移動することもある。そこで、本実施形態における二重床構造体は、仕上材１６０（二重床）と仕上材１６２（直床）との段差面に送風装置３００を備えている。この送風装置３００は、ファンなどから構成され、室空間１００の空気を強制的に床下空間１７０に流入させる。フィルタ３１０は、送風装置３００の室空間１００側に着脱可能に備えられており、塵埃の通過を防止する。また、リモコン３２０は、壁面などに設けられ、ユーザによる送風のオン・オフや送風時の風量調整などの指示を送風装置３００に伝達する。
【００２０】
このような構成の下、送風装置３００による送風が開始されると、図３中の破線で示されるように、室空間１００の空気は、強制的に床下空間１７０に流入させられる。床下空間１７０に空気が流入すると、床下空間１７０における気圧は、室空間１００の気圧より高くなるため、床下空間１７０の空気は、隙間Ｄおよび隙間ｄを介して室空間１００に排出される。このような隙間ｄから室空間１００に排出される空気の風圧により、本実施形態における二重床構造体においては、室空間１００から床下空間１７０への塵埃の移動が防止されることとなる。
【００２１】
一方、送風装置３００にはフィルタ３１０が備えられているため、室空間１００中の塵埃が床下空間１７０に流入することはない。ユーザは、フィルタ３１０が目詰まりを起こせば、送風装置３００から取り外し、水洗いなどによってメンテナンスを行う。また、塵埃の除去機能に加え、空気中の微粒子除去や脱臭などの機能を備えたフィルタ３１０を取り付ければ、室空間１００の空気清浄を行うことが可能である。
【００２２】
さらに、仕上材１６０の清掃時においては、送風装置３００による風力を強めることによって、仕上材１６０と壁１８０Ｌとによって形成される入隅から塵埃などが吹き飛ばされる。これにより、電気掃除機による吸入力が補助され、入隅の清掃効率が向上する。
【００２３】
くわえて、本実施形態における二重床構造体によれば、室空間１００の空気と床下空間１７０の空気とが循環されるため、室空間１００の気温と床下空間１７０の気温とがほぼ等しくなる。これにより、床下の結露が防止されることとなる。
【００２４】
なお、床下空間１７０を構成する建材は、床下空間１７０の空気が室空間１００に流入されるため、ホルマリン等の人体に有害な化学物質を放出させないものが望ましい。仮に、有害物質を放出させる建材が床下空間１７０に使用されたとしても、本実施形態における二重床構造体によれば、床下空間１７０の空気は、密閉ではなく室空間１００の空気と循環される。このため、室空間１００の換気を行うことにより、経年的にその有害物質を揮発させることが可能である。
【００２５】
＜変形例＞
上述した実施形態は、あくまでも例示であって、本発明の一態様を示すものであり、本発明の範囲内で任意に変更可能である。そこで以下に、各種の変形例について説明する。
【００２６】
例えば、上述した実施形態おける幅木２００は、その下方が弾性変形する構成を示したが、本発明はこれに限定されない。例えば、図４に示されるように、中空部２３４および開口部２３２を備える幅木２３０であっても良い。このように中空部２３４を備えることにより、幅木２３０の前面を構成する部位の厚みが薄くなるため、幅木２３０の前面は、厚さ方向（Ａ方向）に作用する外力によって弾性変形する。これにより、幅木２３０に生じる衝撃音が抑制されることとなる。なお、開口部２３２は、幅木２３０を釘２２０によって壁１８０Ｌに取り付ける際に、釘２２０が通過できるように設けられている。
また、図５に示されるように、開口部２３２を有しない中空部２４２を備える構成としてもよい。幅木２４０は、長手方向に所定間隔毎に中空部２４２を有している。幅木２４０を壁１８０Ｌに取り付ける際には、中空でない部分（中実部）に釘２２０を貫通させ、幅木２４０を取り付ける。
【００２７】
上述した実施形態およびその変形例においては、弾性変形が可能な幅木を説明したが、さらに、幅木に働く外力を吸収する緩衝材を備える構成としても良い。例えば、図６に示されるように、弾性変形が可能な幅木下部２００Ｄの後方（壁１８０Ｌ側）に、振動を吸収する緩衝材２５０を備えても良い。これにより、衝突時においては、緩衝材２５０が衝突力を吸収し、また、衝撃音の発生時（すなわち、幅木２００の振動時）においては、緩衝材２５０が振動のエネルギーを吸収するため、壁１８０Ｌに固体伝播される振動エネルギーは、さらに減少することとなる。また、幅木２００に緩衝材２５０を設けることにより、幅木２００（幅木上部２００Ｕ、幅木下部２００Ｄ、緩衝材２５０）および壁１８０Ｌから構成されるバネマス系が低域通過型の音響フィルタとして機能する。これにより、特に耳障りといわれる高周波域の衝撃音が、さらに抑制されることとなる。なお、緩衝材２５０として、ゴム材、ゲル材、発泡材などを用いることができる。
【００２８】
なお、緩衝材２５０を有する幅木は、図６に示される例に限定されるものでなく、衝撃音を吸収する緩衝材２５０を備える構成であれば、任意に本発明を適用可能である。例えば、図７における（ａ）から（ｃ）に示されるような構成としても良い。このうち、図７（ｂ）に示される幅木２７０は、「コ」の字型をした幅木上部２７２が弾性体の緩衝材２５０を介して幅木下部２７４を保持している。これにより、幅木下部２７４は弾性変形が可能となり、また、幅木下部２７４に加わった衝撃は、緩衝材２５０によって吸収されることとなる。
【００２９】
また、図７（ｃ）に示される幅木２８０は、幅木上部２８２、幅木下部２８４および緩衝材２５０から構成される。幅木上部２８２には係合部２８２ｈが形成されており、幅木下部２８４には係合部２８４ｈが形成されている。これらの係合部２８２ｈおよび係合部２８４ｈの各々は、互いに係合する。幅木２８０が壁１８０Ｌに取り付けられた状態で、幅木上部２８２は、係合部をおおよその軸として、幅木下部２８４がＡ方向に弾性変形が可能となるように幅木下部２８４を保持する。また、幅木下部２８４の後方に設けられた緩衝材２５０は、幅木下部２８４に生じた衝撃音を吸収する役割を果たす。
【００３０】
また、上述した実施形態においては、上部より下部が薄い形状の幅木について説明したが、本発明はこれに限定されるものではなく、衝突時における衝突体との接触時間が長くなるような幅木であれば良い。すなわち、外力が作用すると、当該外力の方向に変位するような部位を有する幅木であれば良い。例えば、図８に示される幅木２６０は、板状の前面部２６５と、その後方に位置する弾性体の緩衝材２５０とを有している。この幅木２６０は、上下方向の中央を貫通する釘２２０によって壁１８０Ｌに取り付けられる。このような構成にすると、前面部２６５に、厚さ方向の力が作用すると、前面部２６５は、釘穴２６７を通る紙面垂直線をおおよその軸として揺動する。これにより、衝突体との接触時間が長くなり、発生する衝撃音のレベルが抑制される。
【００３１】
また、上述した実施形態においては、幅木２００を二重床構造体に適用した例を示したが、これに限定されるものではない。例えば、直床と接する壁に幅木２００を取り付ける構成としても良い。なお、このような構成とする場合、室空間１００と床下空間１７０との通風口が不要となるため、幅木２００の下端は、仕上材１６２に当接するように壁に取り付けることが可能である。
【００３２】
また、上述した実施形態における二重床構造体の構成に加え、床下空間１７０にダクトを配管する構成としても良い。すなわち、ダクトの一端を送風装置３００に接続し、他端を、通風口（上述の実施形態においては隙間Ｄおよびｄ）から均等に空気が排出されるような位置（例えば、床下空間１７０の中央）に配置する構成としても良い。これにより、通風口から空気が均等に排出されるため、床下空間１７０への塵埃の移動の防止が効果的に行われることとなる。
【００３３】
また、上述した実施形態においては、床下空間１７０に室空間１００の空気を流入させる送風装置３００を備える例を示したがこれに限られない。例えば、床下空間１７０に建物外部の空気を流入させる送風装置を設ける構成としても良い。これにより、通風口を介して、床下空間１７０に塵埃などが流入されることがなくなる。
【図面の簡単な説明】
【００３４】
【図１】本実施形態にかかる幅木の断面図である。
【図２】本実施形態にかかる幅木を利用した二重床構造体の構成を示す図である。
【図３】同二重床構造体に備えられた送風装置による送風の様子を示す図である。
【図４】本実施形態の変形例にかかる幅木を示す図である。
【図５】同幅木を示す図である。
【図６】同幅木を示す図である。
【図７】同幅木を示す図である。
【図８】同幅木を示す図である。
【符号の説明】
【００３５】
１００…室空間、１１０…基礎床、１２０…防振部材、１３０…支持脚、１４０…支持部材、１５０…床下地材、１６０，１６２…仕上材、１７０…床下空間、１８０Ｌ，１８０Ｒ…壁、１８２Ｌ…壁面、２００…幅木、２００Ｕ…幅木上部、２００Ｄ…幅木下部、２５０…緩衝材、３００…送風装置、３１０…フィルタ、３２０…リモコン。
【図１】
0004525685.tif 000002
【図２】
0004525685.tif 000003
【図３】
0004525685.tif 000004
【図４】
0004525685.tif 000005
【図５】
0004525685.tif 000006
【図６】
0004525685.tif 000007
【図７】
0004525685.tif 000008
【図８】
0004525685.tif 000009